(57)【要約】【解決手段】    本発明は、中身が流れ出ると共に外気が缶の内部に流入するように構成された一対の開口部を有する缶の開口装置に関する。  本発明による開口装置は、缶の上面１１０の両側に互いに対向するように配置され、各々の一部が上面に連接するように、切り込み線１２２ａ、１２２ｂによってそれぞれ成形され、その開口から中身が流れ出る第１開口部１２２、その開口から外気が缶の中に流入する第２の開口部１２４と、第１の開口部の外側に設けられる第１のリベットスタブＲａ及び第２の開口部の内側に設けられる第２のリベットスタブＲｂによって缶の上面に取り付けられるタブ１４０と、を備える。第２の開口部は、第２のリベットスタブと共に持ち上げられつつ開口され、第１の開口部は、第１のリベットスタブ周りに押圧部１４４により押さえられつつ開口され、第２のリベットスタブは、第１のリベットスタブに比べてタブ１７０の把持部１７２から近い位置に設けられる。
2006502924.tif 000002
【特許請求の範囲】
【請求項１】
中身が詰められ、円筒状に形成される缶の上面に設けられる開口装置であって、
前記缶の上面（１１０）の両側に互いに対向するよう配置され、各々の一部が前記上面に連接するように、切り込み線（１２２ａ、１２４ａ）によってそれぞれ成形され、その開口から前記中身が流れ出る第１の開口部（１２２）及びその開口から外気が前記缶の中に流入する第２の開口部（１２４）と、
前記第１の開口部の外側に設けられる第１のリベットスタブ（Ｒａ）と前記第２の開口部の内側に設けられる第２のリベットスタブ（Ｒｂ）とによって、前記缶の上面に取り付けられるタブ（１４０）と、
を備え、
前記第２の開口部は、前記第２のリベットスタブ（Ｒｂ）と共に持ち上げられつつ開口され、前記第１の開口部は、前記第１のリベットスタブ周りに押圧部（１４４）により押さえられつつ開口され、前記第２のリベットスタブは、前記第１のリベットスタブに比べて前記タブ（１７０）の把持部（１７２）から近い位置に設けられることを特徴とする缶の開口装置。
【請求項２】
前記第２のリベットスタブと連結された前記タブの第２の開口端部（１４６）が、前記第２の開口部を覆って形成され、前記第２の開口端部が、前記押圧部（１４４）によって前記第１のリベットスタブ（Ｒａ）を介して前記第１の開口部が開口するとき、前記上面１１０に接触した状態で支持されつつ、前記タブ（１４０）が上方へ持ち上げられることを特徴とする請求項１に記載の缶の開口装置。
【請求項３】
前記タブ（１４０）が、全体的に「┐」字状に形成され、前記第１及び第２のリベットスタブが、前記把持部が持ち上げられるとき、前記開口部（１２２、１２４）に向けて直線状の力が作用することを特徴とする請求項１または２に記載の缶の開口装置。
【請求項４】
中身が詰められ、円筒状に形成される缶の上面に設けられる開口装置であって、
その一部が上面に連接するように、切り込み線（１２２ａ）によって前記缶の上面に成形され、その開口から前記中身が流れ出る第１の開口部１２２と、
前記第１の開口部と対向する側において、切り込み線によって比較的小さくなるよう成形され、前記第１の開口部から前記中身が流れ出るとき、その開口から外気が前記缶の中に流入する第２の開口部（１２４）と、
前記第１の開口部の外側に設けられる第１のリベットスタブ（Ｒａ）と前記第２の開口部の内側に設けられる第２のリベットスタブ（Ｒｂ）とによって、前記缶の上面に取り付けられるタブ（１４０）と、
を備え、
前記第２の開口部は、前記第２のリベットスタブ（Ｒｂ）と共に持ち上げられつつ開口され、前記第１の開口部は、前記第１のリベットスタブ周りに押圧部１４４により押さえられつつ開口され、前記第２のリベットスタブは、前記第１のリベットスタブに比べて前記タブ（１７０）の把持部（１７２）から近い位置に設けられることを特徴とする缶の開口装置。
【請求項５】
中身が詰められ、円筒状に形成される缶の上面に設けられる開口装置であって、
その一部が上面に連接するように、切り込み線（１２２ａ）によって前記缶の上面に成形され、その開口から前記中身が流れ出る第１の開口部１２２と、
前記第１の開口部と対向する側において、切り込み線によって比較的小さくなるよう成形され、前記第１の開口部から前記中身が流れ出るとき、外気が前記缶の中に流入する第２の開口部（１２４）と、
その外側部分に飲用者が把持するための把持部を有し、前記第１の開口部の外側に設けられる第１のリベットスタブ（Ｒａ）と前記第２の開口部の内側に設けられる第２のリベットＲｂとによって、前記缶の上面に取り付けられるタブ（１４０）と、
を備えることを特徴とする缶の開口装置。
【発明の詳細な説明】
【技術分野】
【０００１】
本発明は、缶の開口装置に関し、より詳しくは、缶の内部に詰められた飲料がさらに容易に外部へ流れ出るように構成される缶の開口装置に関する。
【背景技術】
【０００２】
図１は、一般的な缶の開口部を示す斜視図である。図示のように、一般に、缶の胴体１０の内部には、飲料またはビールなどの中身が詰められ、上面１２または下面には缶を開口するための開口装置が設けられている。リベットスタブ２４によって上面１２に取り付けられた開口部材２０は、缶の胴体１０の上面の所定の部分を開口するために用いられる。また、開口部材２０は、リベットスタブ２４に対して、一方に延長された把持部２２と、その反対側に延長された押圧部２６と、を備えている。
【０００３】
また、押圧部２６の下部に該当する上面１２には、一定の深さで溝が切り込まれた切り込み線２８によって形成される開口部２９が設けられている。
【０００４】
このとき、飲用者が把持部２２を上方へ引っ張ると、開口部材２０は、リベットスタブ２４周りに、その反対側にある押圧部２６を下方へ移動させるようになる。押圧部２６が下方へ移動すると、開口部２９が下向きの力を受けるようになり、また、開口部２９には切り込み線２８が成形されているので、実質的に上面１２から分離されるようになる。これによって、実質的に缶の胴体１０は開口部２９が開き、内部の飲料が外部に排出される。
【０００５】
また、切り込み線２８で形成される開口部２９は、一部が缶の上面１２に連接している。従って、押圧部２６によって開口部２９が下方に移動しつつ缶が開口したとき、開口部２９の一部が缶の上面１２に連接していることも公知のことである。
【０００６】
しかしながら、このような従来の技術では、次のような問題点があった。すなわち、缶の胴体１０の内部から中身が流れ出ると、これと反対に外気が缶の胴体１０の内部に入らなければ、飲料の円滑な排出が行われない。しかし、従来の缶の構造によると、開口部２９が一つしか成形されていないので、外気が入ると共に飲料が排出する過程において、中身の排出が円滑でないという短所があった。従って、実質的に缶から一定量の飲料が流れ出る前まで（すなわち、缶自体が一定の傾斜角度を有して傾くことにより、開口部の上部から空気が流入し、下部から飲料が排出するまで）の初期段階では、飲料の排出が極めて難しくなる。
【０００７】
ここで、図３と図４を参照して一般の缶の開口方式について説明する。図３に示した開口方式は、いわゆるリング・プル・タブといわれている方式であって、キャップの上面Ｕに設けられたタブ６０の把持部６２を引っ張ると、リベットスタブ６６と共に開口部６４が全て上方へ持ち上げられるようになる。すなわち、タブ６０の上部移動によって、開口部６４が上方へ持ち上げられつつ開口される。この場合、切り込み線６４ａによって形成される開口部６４がタブ６０と共に、缶の上面Ｕから完全に分離される。また、このような方式では、リベットスタブ６６は実質的に開口部６４の内側に設けられている。
【０００８】
このようなリング・プル・タブ方式の開口装置は、飲用者が軽い力でも缶を開口することができるという長所があるのに対し、タブ６０と開口部６４が共に上面Ｕから分離されるため、環境の面で好ましくないという短所があった。
【０００９】
また、図４は、いわゆるステイ・オン・タブ方式といわれている開口装置を示している。このような開口装置では、缶の上面Ｕに設けられているタブ７０の把持部７２を上方へ引っ張ると、リベットスタブ７４周りに押圧部７６が下部の開口部７８を押圧するようになる。従って、開口部７８は、下方へ押圧されつつ上面Ｕから離隔され、実質的に開口部７８が開口するようになる。また、このようなステイ・オン・タブ方式においては、リベットスタブ７４が開口部７８の外側の上面Ｕに設けられている。
【００１０】
この方式の開口装置では、開口部７８全体が開口するものではなく、開口部７８の一部が上面Ｕに連接するようになる。従って、このような方式の開口装置においては、開口部７８が上面Ｕから分離されないので、環境保護の面では有利であるが、把持部７２によってタブ７０を持ち上げるのに必要な力が、上述したリング・プル・タブ方式よりも大きくなるという短所があった。
【００１１】
また、このように一つの開口部を有する缶の開口装置の短所を解決するために、図２に示すような缶の開口装置が、韓国実用新案公報第９８−５５７７６号及び日本国実開昭５５−６９０２９号として提案されている。図２を参照して従来の技術について簡単に説明する。
【００１２】
図示のように、従来の缶の開口装置は、缶の上面に設けられた一対の開口部３２、３４を有している。開口部３２、３４は、金型によって製造されるとき缶の上面をさらに薄くした切り込み線で形成される部分である。このような開口部３２、３４は、実質的に缶内部の中身が外部に流れ出る第１の開口部３２と、外部から缶の内部に空気が流入するように設けられた第２の開口部３４とで構成される。
【００１３】
また、開口装置は、飲用者が手指でつかむ把持部３０と、把持部の両側端部に設けられ、開口部３２、３４を押圧して開口するための一対の押圧部３６ａ、３６ｂとを備えている。飲用者が把持部３０を上方へ引っ張ると、軸Ｈａ、Ｈｂを重心として押圧部３６a、３６ｂが開口部３２、３４を下方に押さえ、開口部３２、３４が缶の上面と離隔することにより、中身が流れ出るように構成されている。
【００１４】
このような従来の技術によると、実質的に二つの開口部を形成することにより、中身がさらに容易に外部に流れ出るようにすることができる。また、このように一対の開口部を成形する場合、把持部３０を引っ張ることにより二つの開口部が開口しなければならないので、飲用者が把持部を引っ張る力による開口がさらに容易に行われなければならない。
【００１５】
しかしながら、図示のような従来の技術によると、実質的に二つの開口部を同時に開口することが容易ではない。すなわち、従来のものに比べてさらに大きな力で把持部を引っ張らなければならないため、使い勝手が悪く、このような大きな力に対する把持部及び押圧部間における十分な強度が確保されなければならないため、設計時、強度による様々な制約を受けるようになる短所があった。
【発明の開示】
【００１６】
本発明は、上記問題点に鑑みなされたものであり、中身が極めて円滑に外部に流れ出るようにする缶の開口装置を提供することを目的とする。
【００１７】
また、二つの開口部を最小の力でも開閉することができる缶の開口装置を提供することを他の目的とする。
【００１８】
上記の目的を達成するため、本発明による缶の開口装置は、中身が詰められ、円筒状に形成される缶の上面に設けられる開口装置であって、缶の上面の両側に互いに対向するように配置され、各々の一部が上面に連接するように、切り込み線によってそれぞれ成形され、その開口から缶の中身が流れ出る第１の開口部及びその開口から外気が缶の中に流入する第２の開口部と、前記第１の開口部の外側に設けられる第１のリベットスタブ及び前記第２の開口部の内側に設けられる第２のリベットスタブによって缶の上面に取り付けられるタブと、を備える。第２の開口部は、第２のリベットスタブと共に持ち上げられつつ開口され、第１の開口部は、第１のリベットスタブ周りに押圧部により押さえられつつ開口され、前記第２のリベットスタブは、第１のリベットスタブに比べてタブの把持部から近い位置に設けられる。
【００１９】
このような本発明によると、第２の開口部はタブと共に持ち上げられつつ開口され、第１の開口部は下方に押さえられつつ開口される。従って、全体的に一対の開口部の開口がさらに容易に行われるという長所がある。
【発明を実施するための最良の形態】
【００２０】
以下、本発明の好ましい第１の実施の形態を、添付図面に基づいて詳しく説明する。
図３は、本発明の第１の実施形態による開口装置が設けられた缶を示す平面図である。
【００２１】
図示のように、本発明による缶の開口装置は、缶１００の上面１１０に設けられた一対の開口部１２２、１２４を有している。開口部１２２、１２４は、缶内部の中身が流れ出る第１の開口部１２２と、この第１の開口部１２２から中身が流れ出るとき、外気が缶の内部に流入するように構成される第２の開口部１２４とで構成されている。図示のように、第１の開口部１２２は、第２の開口部１２４に比べて相対的に大きく成形されている。また、第１の開口部１２２と第２の開口部１２４は、実質的に円形である缶の上面において互いに対称する位置に設けられている。従って、缶を一定の角度で傾けると、前記第１の開口部１２２から中身が流れ出るようになり、このとき、第１の開口部１２２よりも上部に位置する（缶を傾けた状態で）第２の開口部から外気が缶の内部に流入する。
【００２２】
一般に、飲料を詰めた缶において、その缶の内部には一定量の中身と空気が含まれている。従って、缶を一定の角度だけ傾けると、内部の空気は、缶の上部側（缶を傾けた状態で）へ移動し、実質的に第２の開口部１２４が位置する部分の缶の内部には空気が位置するようになり、外気が缶の内部に流入する。
【００２３】
また、第１の開口部１２２及び第２の開口部１２４は、缶の上面１１０に切り込み線１２２ａ、１２４ａを形成することにより成形されている。また、この切り込み線１２２ａ、１２４ａは、円形の開口部全体に形成されるのではなく、一部分には形成されていない。このような構成は、環境の面で開口部１２２、１２４が上面１１０から切り離されて缶が開口した場合、開口部１２２、１２４の一部が缶の上面１１０に連接しているようにするためである。
【００２４】
また、開口部１２２、１２４を開口するためのタブ１４０が、缶１００の上面１１０に設けられている。タブ１４０は、上述した二つの開口部１２２、１２４を順次開口するためのものであり、一対のリベットスタブＲａ、Ｒｂによって上面１１０に接合している。また、一般に、リベットスタブＲａ、Ｒｂは、タブ１４０によって開口部１２２、１２４を開口するためのものであり、缶の上面１１０と一体で形成されている。
【００２５】
タブ１４０は、飲用者が引っ張るための把持部１４２を有している。把持部１４２は、飲用者が上方へ引っ張るためのものであり、缶の上面１１０において把持部１４２の下部に対応する部分には、窪んでいる凹部１１２が設けられている。このような凹部１１２は、飲用者が指で把持部１４２をさらに容易に引っ張るために形成された部分である。
【００２６】
また、タブ１４０の第１のリベットスタブＲａは、第１の開口部１２２を開口するためのものであり、第２のリベットスタブＲｂは、第２の開口部１２４を開口するためのものである。まず、第１の開口部１２２を開口させるための構成について説明する。
【００２７】
第１のリベットスタブＲａの下部（図面で見たとき）には押圧部１４４が凸設されている。押圧部１４４は、第１の開口部１２２の上部に該当する位置に設けられている。従って、タブ１４０の把持部１４２が飲用者により持ち上げられると、押圧部１４４は、第１のリベットスタブＲａを支点として実質的に下方に押さえられる。このように下方へ移動する押圧部１４４は、第１の開口部１２２を下方に押圧して、実質的に第１の開口部１２２が開口するようになる。ここで、第１のリベットスタブＲａは、第１の開口部１２２の内部でなく、缶の上面１１０に設けられている。
【００２８】
また、第２のリベットスタブＲｂは、第２の開口部１２４の内部に設けられている。また、第２のリベットスタブＲｂは、タブ１４０の把持部１４２から近い位置に設けられている。従って、把持部１４２を引っ張ると、第２のリベットスタブＲｂは、第２の開口部１２４を上方へ引っ張るようになり、第２の開口部１２４を開口するようになる。
【００２９】
第２の開口部１２４の周辺の形状についてより詳しく説明すると、切り込み線１２４ａは、第２の開口部１２４の周囲の一部には形成さておらず、その部分は、実質的に上面１１０との連結部１２４ｂとなっている。従って、第２の開口部１２４が開口すると、連結部１２４ｂを除く他の部分は全て上面１１０から離隔する状態となる。
【００３０】
また、連結部１２４ｂは、把持部１４２の反対側に設けられている。また、前記第２のリベットスタブＲｂを第２の開口部１２４の内側領域に位置させるために、タブ１４０の第２の開口端部１４６は、実質的に第２の開口部１２４の上部を覆うように形成されている。
【００３１】
ここで、第１の開口部１２２と第２の開口部１２４が開口する原理が異なることが分かるだろう。すなわち、第２の開口部１２４は、把持部１４２が上方へ引っ張られることにより、開口部１２４も共に上方へ持ち上げられる方式であり、上述したリング・プル・タブ方式と類似している。しかし、切り込み線１２４ａは、第２の開口部１２４の周囲の一部には形成されていないため、実質的に第２の開口部１２４の全体が上面１１０から分離されるものではない。また、第２の開口部１２４の切り込み線１２４ａは、図面において上部から下部に（実質的な缶では、外側面から中心方向に）開口部１２４が開口するように形成されている。
【００３２】
これに対し第１の開口部は、上述したステイ・オン・タブ方式と言える。すなわち、第１の開口部１２２は、タブ１４０の押圧部１４４を下方と押して開口する方式である。また、このような方式では、上述した従来の技術と同様に、第１の開口部１２２が上面１１０から完全に分離されない。
【００３３】
また、図示した実施の形態では、開口部１２２、１２４を開口するためのタブ１４０は、全体的に「┐」字状に形成されている。これは、把持部１４２を引っ張ったとき、できるだけ直線方向に力がリベットスタブＲａ、Ｒｂを介して開口部１２２、１２４に作用するようにするためのものである。これは、力がリベットスタブＲａ、Ｒｂを介して開口部１２２、１２４にできるだけ直線的に作用したときに、開口部を開口するのに必要な力が最小となるからである。図面上で、直線Ｌ１、Ｌ２は、把持部１４２で持ち上げる力がそれぞれのリベットスタブＲａ、Ｒｂ及び開口部１２２、１２４に作用する力の方向を意味し、このようにタブ１４０に作用する力を、リベットスタブＲａ、Ｒｂ及び開口部１２２、１２４に直線的に作用させることにより、実質的に最小の力で二つの開口部１２２、１２４を開口させることができる。
【００３４】
次に、この実施形態による缶の開口過程を順次説明する。飲用者がタブ１４０の把持部１４２を上部へ引っ張ると、把持部１４２が位置するタブ１４０の外側部分が上面１１０と離隔し始める。
【００３５】
タブ１４０の把持部１４２が上方へ持ち上げられると、把持部１４２から近い第２のリベットスタブＲｂにまず力が作用するようになる。第２のリベットスタブＲｂに力が加えられると、第２の開口部１２４から開口される。第２の開口部１２４の開口は、上述したように、リベットスタブＲｂが第２の開口部１２４の内部領域に設置されているので、いわゆるリング・プル・タブ方式のように行われる。すなわち、第２の開口部１２４は、リベットスタブＲｂと共に上方へ持ち上げられつつ開口される。
【００３６】
また、タブ１４０の把持部１４２が持ち上げられつつ第２の開口部１２４の開口が完了すれば、第２の開口部１２４の連結部１２４ｂは上面１１０に連接した状態になり、かつ、実質的に第２の開口部１２４は一定の角度だけ傾斜した状態（タブ１４０の傾斜した状態と同一である）となる。
【００３７】
また、このような状態では、第１のリベットスタブＲａが力を受け始める。すなわち、連結部１２４ｂと第２の開口端部１４６がほぼ同じ位置に形成され、これらは第１のリベットスタブＲａと同じ位置に形成されていることを、図５の直線Ｌ３によって確認することができる。
【００３８】
従って、第２の開口部１２４が完全に開口された状態になると、第１のリベットスタブＲａが力を受け始める。第１のリベットスタブＲａが力を受けると、押圧部１４４が第１の開口部１２２を下方に押さえるようになり、結局、第２の開口部１２２が完全に開口されるはずである。このような第２の開口部１２２の開口は、上述したようなステイ・オン・タブ方式によるものであって、前記第２の開口部１２２は、その一部が上面１１０に連接していることは当然である。
【００３９】
また、第１の開口部１２２が開口するために、第１のリベットスタブＲａが力を受ける始点の状態をみると、実質的にタブ１４０が一定の傾斜を持っていると共に、第２の開口部１２４の連結部１２４ｂと同じ位置にある第２の開口端部１４６が上面１１０に接触しつつ支持される始点になる。従って、タブ１４０が第１のリベットスタブＲａを支点として第１の開口部１２２を開口させる状態で、傾斜状態で持ち上げられるタブ１４０は、第１のリベットスタブＲａ及び第２の開口端部１４６によって同時に支持されるので、その反力によって押圧部１４４が第１の開口部１２２をさらに容易に押さえるようになる。
【００４０】
以上のような開口動作をまとめると次のとおりである。タブ１４０の把持部１４２が持ち上げられることにより、開口部１２２、１２４が開口する過程において、まず第２の開口部１２４が開口され、その後、第１の開口部が開口される。また、第２の開口部１２４は、リング・プル・タブ方式によって開口されるので、相対的にさらに軽い力で容易に開口させることが可能である。また、このように第２の開口部１２４が開口されてから順次に第１の開口部１２２が開口される。
【００４１】
このとき、第２の開口端部１４６が上面１１０によって支持されているので、第１のリベットスタブＲａを支点として、押圧部１４４が第１の開口部１２２を下方にさらに容易に押圧することが可能になる。
【００４２】
また、第１の開口部１２２及び第２の開口部１２４は上述したとおり、ほぼ直線状の力が作用しつつ開口するので、全体的に開口部１２２、１２４の開口がさらに容易に行われることは当然である。
【００４３】
次に、図６は、別の実施形態を示す図である。以下、この実施の形態について説明するが、上述した実施の形態と同一の構成要素については、同一の図面符号を付けて説明する。
【００４４】
この実施の形態による開口装置によると、缶の上面１１０に一対の開口部１２２、１２４が成形され、このような開口部１２２、１２４は、一つのタブ１７０によって開口される。
【００４５】
この実施の形態において、前記タブ１７０を除く他の部分の構成は、上述した第１の実施形態と同一である。また、この実施の形態におけるタブ１７０は、円弧状に形成され、それ以外の実質的な構成は、上述した第１の実施形態と同一である。
【００４６】
この実施の形態においても、前記タブ１７０の把持部１７２を引っ張ると、第２の開口部１２４が第２のリベットスタブＲｂと共に持ち上げられつつ開口される。また、第２の開口部１２４の開口が完了すると、第１のリベットスタブＲａを支点として押圧部１７４によって第１の開口部１２２が下方に押さえられつつ開口される。
【００４７】
第２の開口部１２４を開口する方式も第１の実施形態と同一であり、第２の開口端部１７６が第１のリベットスタブＲａを支点とするときに上面に支持される部分においても同様に動作している。
【００４８】
以上のとおり、本発明は、一対の開口部１２２、１２４における開口方式を異ならせて、最小の力で開口部を開口することができるように構成することを基本的な技術的要旨としている。
【００４９】
このような本発明の基本的な技術的思想の範囲内で、当業界の通常の知識を有する者にとっては、他の多くの変形が可能であることは勿論であり、本発明は、特許請求の範囲に基づいて解釈されるべきことは明らかである。
【００５０】
産業上の利用可能性
本発明によると、中身が流れ出る第１の開口部１２２と、中身の流出と同時に外気が缶の内部に入っていく第２の開口部１２４とを有しているので、第１の開口部１２２からの中身の流出と同時に第２の開口部１２４への外気の流入が行われ、極めて円滑に中身が缶から出るようになる。これは、特にビールや炭酸飲料などの流出時にさらに有用な構成であると言える。
【００５１】
また、一対の開口部１２２、１２４が順次開口されると共に、異なる方式で開口されるようになる。すなわち、まず開口される第２の開口部は、リベットスタブＲａと共に上方へ持ち上げられて開口され、第１の開口部は、押圧部によって下方に押さえられて開口される。従って、最初の開口時は軽い力で容易に開口され、その後、第１の開口部が開口されるので、全体的に二つの開口部を円滑に開口することができるようになる。さらに、第１の開口部を開口するときは、第２の開口端部がリベットスタブと同時に支点の機能を果たすので、開口がさらに容易になる。
【図面の簡単な説明】
【００５２】
【図１】従来の缶の開口装置を示す図である。
【図２】従来の缶の開口装置を示す図である。
【図３】従来の開口装置の開口状態を説明するための平面図である。
【図４】従来の他の開口装置の開口状態を説明するための平面図である。
【図５】本発明による缶を示す平面図である。
【図６】本発明の他の実施形態による缶を示す平面図である。
【図１】
2006502924.tif 000003
【図２】
2006502924.tif 000004
【図３】
2006502924.tif 000005
【図４】
2006502924.tif 000006
【図５】
2006502924.tif 000007
【図６】
2006502924.tif 000008
【手続補正書】
【提出日】平成17年6月20日(2005.6.20)
【手続補正１】
【補正対象書類名】特許請求の範囲
【補正対象項目名】請求項１
【補正方法】変更
【補正の内容】
【請求項１】
中身が詰められ、円筒状に形成される缶の上面に設けられる開口装置であって、
前記缶の上面（１１０）の両側に互いに対向するよう配置され、各々の一部が前記上面に連接するように、切り込み線（１２２ａ、１２４ａ）によってそれぞれ成形され、その開口から前記中身が流れ出る第１の開口部（１２２）及びその開口から外気が前記缶の中に流入する第２の開口部（１２４）と、
前記第１の開口部の外側に設けられる第１のリベットスタブ（Ｒａ）と前記第２の開口部の内側に設けられる第２のリベットスタブ（Ｒｂ）とによって、前記缶の上面に取り付けられるタブ（１４０）と、
を備え、
前記第２の開口部は、前記第２のリベットスタブ（Ｒｂ）と共に持ち上げられつつ開口され、前記第１の開口部は、前記第１のリベットスタブ周りに押圧部（１４４）により押さえられつつ開口され、前記第２のリベットスタブは、前記第１のリベットスタブに比べて前記タブ（１４０）の把持部（１４２）から近い位置に設けられることを特徴とする缶の開口装置。
【手続補正２】
【補正対象書類名】明細書
【補正対象項目名】００２０
【補正方法】変更
【補正の内容】
【００２０】
以下、本発明の好ましい第１の実施の形態を、添付図面に基づいて詳しく説明する。
図５は、本発明の第１の実施形態による開口装置が設けられた缶を示す平面図である。
【国際調査報告】
2006502924.tif 000009
2006502924.tif 000010